(57)【特許請求の範囲】
【請求項１】
情報が記録された記録媒体夫々に対応して設けられ、該記録媒体に記録された情報の内容を示す情報がコード化された多次元バーコードと、
前記多次元バーコードを読み取り、コード化された前記記録媒体に記録された情報の内容を示す情報を出力する多次元バーコード読取手段と、
前記多次元バーコードリーダ読取手段から出力された前記記録媒体に記録された情報の内容を示す情報を表示する表示手段とを有し、
前記表示手段に表示された前記記録媒体に記録された情報の内容を示す情報を参照することにより、前記記録媒体に記録された情報を再生することなく前記記録媒体の検索を可能としたことを特徴とする記録媒体検索方法。
【請求項２】
前記多次元バーコードを前記記録媒体夫々に添付することを特徴とする請求項１記載の記録媒体検索方法。
【請求項３】
前記多次元バーコードを、前記記録媒体をリスト化した記録媒体リスト上に添付することを特徴とする請求項１又は２記載の記録媒体検索方法。
【発明の詳細な説明】
【０００１】
【産業上の利用分野】
本発明は記録媒体検索方法に係り、特に、所定の符号場所に格納されたフィルム等の記録媒体を検索するための記録媒体検索方法に関する。
【０００２】
近年、フィルム、写真等の情報の増大に伴い、フィルム、写真等の記録媒体の検索の容易化が必要とされている。
【０００３】
フィルム、写真等を検索する場合、フィルム、写真等は外観からでは内容を知ることができないため、その内容を知る必要があった。
【０００４】
【従来の技術】
図９に従来の記録媒体の検索方法の一例の説明図を示す。
【０００５】
従来、フィルム、写真ネガ、ビデオテープ等の記録媒体を保管する場合、図９（Ａ）に示すように、記録媒体３１に日付けや題名が記載されたシール３２を貼付しておき、図９（Ｂ）に示すように検索時には検索者は貼付されたシール３２の日付けや題名等により必要とする記録媒体３１の見当を付け（ステップＳ３-1）、見当を付けた記録媒体を保管場所より取り出し（ステップＳ３-2）、映写機等に取り付け実際に再生することにより内容を検討し、必要な記録媒体か否かを判断し（ステップＳ３-3，Ｓ３-4）、必要とする記録媒体を得ていた。
【０００６】
また、他の方法としてはコンピュータ端末などを用いたものもあった。
【０００７】
図１０に従来の他の一例の説明図を示す。メモリ部４１には予め保管された記録媒体の日付、題名、要旨、保管場所等のデータが予め記憶されている。
【０００８】
メモリ部４１は処理部４２を介して表示部４３と接続されていて、処理部４２はキーボード４４の入力操作に応じてメモリ部４１から記録媒体の日付、題名、要旨、保管場所等のデータを読み出し、表示部４３に表示する。
【０００９】
検索者はキーボード４４を操作して、記録媒体の日付、題名、要旨、保管場所等のデータを表示部４３に表示させ、これを見て必要とする記録媒体を検索し、保管場所より取出していた。
【００１０】
【発明が解決しようとする課題】
しかるに、従来の記録媒体に貼付された日付、題名等により見当を付け、見当を付けた記録媒体を再生して内容を確かめる方法では見当を付けた記録媒体を一々再生する必要があり、記録媒体の再生装置等への装置等に多くの時間と労力を要すると共に記録媒体を損傷してしまう恐れがある等の問題点があった。
【００１１】
また、コンピュータに記録媒体の内容を記憶させておき、これを再生することにより必要とする記録媒体を検索する方法ではメモリに記録媒体に関するデータをすべて記憶しておく必要があり、膨大なメモリを必要とするため、記録媒体が増大した場合、読取装置を増設したりする必要があり装置にコストがかかってしまう等の問題点があった。
【００１２】
本発明は上記の点に鑑みてなされたもので効率良く、記録媒体の検索が行なえる記録媒体検索方法を提供することを目的とする。
【００１３】
【課題を解決するための手段】
図１に本発明の原理図を示す。多次元バーコード１は、情報が記録された記録媒体２に夫々設けられ、該記録媒体２の内容を示す情報がコード化されている。
【００１４】
多次元バーコード読取手段３は、前記多次元バーコード１を読み取り、コード化された前記記録媒体２の内容を示す情報を出力する。多次元バーコードリーダ読取手段から出力される記録媒体に記録された情報の内容を示す情報は表示手段により表示される。表示手段に表示された記録媒体に記録された情報の内容を示す情報を参照することにより、記録媒体に記録された情報を再生することなく記録媒体の検索を行うことを可能とする。
【００１５】
請求項２は、前記多次元バーコード１を前記記録媒体２の夫々に添付する。
【００１６】
請求項３は、前記多次元バーコード１をリスト４上にまとめて添付する。
【００１７】
【作用】
本発明の請求項１によれば、多次元バーコード読取手段により多次元バーコードを読み取り、記録媒体の内容を出力することにより、記録媒体の内容を参照しつつ、記録媒体の検索を行なうことができるため、記録媒体を再生することなく、記録媒体の内容を参照でき、従って、記録媒体の検索を容易に行なえる。
【００１８】
請求項２によれば、日付、題名等より見当を付けた記録媒体を取り出してきて、取り出してきた記録媒体に添付された多次元バーコードを多次元バーコード読取手段により読み取りその内容を出力することにより、記録媒体を再生することなく、内容を認識できるため、記録媒体の検索を容易に行なえる。
【００１９】
請求項３によれば、記録媒体をリスト化した記録媒体リスト上に多次元バーコードを添付することにより記録媒体リストに添付された多次元バーコードを多次元バーコード読取手段により読み取り、その内容を出力することにより記録媒体の内容を認識でき、認識した内容に応じて記録媒体を検索することができるため、記録媒体を再生することなく記録媒体の内容を把握でき、記録媒体の検索作業が容易となる。
【００２０】
【実施例】
図２に本発明の一実施例のブロック構成図を示す。記録媒体１１はフィルム、マイクロフィルム、写真ネガ等で、外装ケース１２に収納されている。外装ケース１２には記録媒体１の情報記録の日付け、及び題名が印刷されると共に、記録情報の内容を二次元バーコード化した２次元バーコード１３が印刷されたシール１４が貼付されている。
【００２１】
図３に二次元バーコードシールの構成図を示す。二次元バーコードは横方向（矢印Ｘ方向）に延在する一次元バーコードを縦方向（矢印Ｙ方向）に積み重ねて一つのバーコードを構成したもので大容量、高密度のデータの記録ができるものである。
【００２２】
図３に示すように二次元バーコードは左右両端には所定長の空白領域のクワイエットゾーン２１，２２の特定のバーパターンとスペースとの組み合わせで構成されたスタートパターン２３及びストップパターン２４が配置される。
【００２３】
スタートパターン２３とストップパターン２４との内側にはレフトローインディケータ２５，及び、ライトローインディケータ２６が配置され、このレフトローインディケータ２５とライトローインディケータ２６との間にデータ用のデータコードワード２７が挿入される。
【００２４】
スタートパターン２３及びストップパターン２４はスキャンにおける方向を判定するためのものである。レフト及びライトローインディケータ２５，２６はシンボルの構成を定義づけるために設けられており、このレフト及びライトローインディケータ２５，２６を読み取ることによりシンボルが何行何列で構成されているかを認識できる。
【００２５】
データ用コードワードが格納される情報に相当しており、例えばＰＤＦ４７１というバーコードシステムでは一行に最大３０のコードワード、最大９０行で、ローインディケータ２５，２６内に最大９２５個のコードワードが収容でき、最大１８５０文字を収容できる構成とされている。
【００２６】
図４，図５に二次元バーコード１３の内容を示す図を示す。二次元バーコード１３には例えば図４に示すように記録媒体１１に記録されている映像の題名、撮影日等の日付、撮影者等の氏名、撮影日の天候、要旨等の検索に必要となる情報が収容されている。
【００２７】
または、図５に示すように題名、日付、監督、主演、要旨等の検索に必要となる情報が収容されている。
【００２８】
ここで、再び図２に戻って説明を続ける。記録媒体１１の外装ケース１２に貼付された二次元バーコード１３は二次元バーコード読取装置１５により読み取られ、図４に示すような情報として表示される。
【００２９】
二次元バーコード読取装置１５は二次元バーコード１３を読み取るスキャナ１６，スキャナ１６により読み取られた信号を処理し文字情報に変換するデータ処理部１７，データ処理部１７で変換処理された文字情報を表示する表示部１８より構成される。
【００３０】
スキャナ１６はレーザ光Ｌ0 を発生し、二次元バーコード１３上を破線Ｉに示すように走査すると共に、二次元バーコード１３からの反射光Ｌ1 を受光し、二次元バーコード１３の白黒のパターンを読み取る。スキャナ１６で読み取られた白黒のパターンに応じた信号はデータ処理部１７に供給される。データ処理部１７では二次元バーコード１３の白黒パターンに応じた信号を文字情報に変換する。データ処理部１７で変換された文字情報は表示部１８に供給される。表示部１８ではデータ処理部１７から供給された文字情報に応じた表示を行ない、図４又は図５に示すようなフォーマットで記録媒体１１に関する情報を表示する。
【００３１】
図６に本発明の一実施例の動作説明図を示す。
【００３２】
検索者は記録媒体保管場所に行って、記録媒体１１のシール１４に記載された日付や題名等を見て、必要とする記録媒体の見当をつけ、保管場所より取り出す（ステップＳ１-1）。
【００３３】
次に検索者は取り出した記録媒体に貼付されたシール１４の二次元バーコード１３にスキャナ１６を当てて、二次元バーコード１３に収容された内容を読み取り、図４に示すような情報として表示部１８に表示させる（ステップＳ１-2）。
【００３４】
次に検索者は表示部１８に表示された記録媒体の内容を検討し、取り出した記録媒体が必要とする記録媒体か否かを判断する（ステップＳ１-3，Ｓ１-4）。
【００３５】
ここで、必要とする記録媒体であれば検索は終了し、必要とする記録媒体でなければ、ステップＳ１-1〜Ｓ１-4を繰り返し必要とする記録媒体を検索する。
【００３６】
以上のように二次元バーコード１３を用いて記録媒体の内容を表示することにより検索者は日付、題名で見当をつけた記録媒体を一々再生することなく、内容を把握することができるため、フィルム等ではフィルムの映写機等へのセットや、再生数のフィルムの巻き戻し等が不要となり、内容の検討を迅速に行なえ、検索作業を効率的に行なえる。
【００３７】
また、記録媒体の内容は二次元バーコード１３に収容されるため、記録媒体の内容を収容しておくメモリ等が不要となり、読取装置の構成も簡略にできると共に、記録媒体が増加しても、読取装置のデータ容量等を増加させる必要がなく、読取装置の管理も容易となる。
【００３８】
図７に本発明の他の実施例のブロック構成図を示す。同図中、図２と同一構成部分には同一符号を付し、その説明は省略する。
【００３９】
本実施例は二次元バーコード１３を個々の記録媒体１１に貼付すると共に記録媒体１１を管理するリストにも添付することにより検索効率を向上させようとするものである。
【００４０】
リスト１９には記録媒体１１毎に記録媒体１１の題名、格納場所、二次元バーコード１３よりなる複数の項目２０が印刷又は貼付される。
【００４１】
図８に本発明の他の実施例の動作説明図を示す。
【００４２】
まず、検索者はリスト１９に印刷された題名等より必要とする記録媒体の項目に見当を付ける（ステップＳ２-1）。
【００４３】
次に検索者は見当を付けた記録媒体の項目に記載された二次元バーコード１３に二次元バーコード読取装置１５のスキャナ１６を当て、二次元バーコード１３を読み取る（ステップＳ２-2）。二次元バーコード１３を読み取ることによりその内容が表示部１８に表示される。
【００４４】
次に検索者は二次元バーコード読取装置１５の表示部１８に表示された図４、又は図５に示すような記録媒体１３の内容を検討し、その内容が必要とする記録媒体１３のものか否かを判断する（ステップＳ２-3，Ｓ２-4）。
【００４５】
ここで、表示された内容が必要とする記録媒体１３のものであれば、検索者は読み取った二次元バーコード１３の項目２０に記載された格納場所を参照して、その格納場所に記録媒体を取りに行く（ステップＳ２-5）。
【００４６】
本実施例によれば、リストに記載された二次元バーコードを読み取り、その内容を表示し、表示された内容により必要とする記録媒体の検索が可能となり、リストで検索した後に、記録媒体を取り出せばよいため、記録媒体を一々取り出して内容を調べる必要がなく、検索作業の効率を向上させることができる。
【００４７】
【発明の効果】
上述の如く、本発明の請求項１乃至３によれば、記録媒体を再生することなく、記録媒体の内容を参照しつつ記録媒体の検索を行なうことができるため、必要とする記録媒体を確実にかつ、容易に入手できる等の特長を有する。
【００４８】
請求項２によれば、多次元バーコードを記録媒体に添付しておくことにより、取り出した記録媒体の内容を容易に入手でき、記録媒体検索作業が容易となり、検索作業効率を向上させることができる等の特長を有する。
【００４９】
請求項３によれば、記録媒体の情報をリスト化した記録媒体リストに多次元バーコードを添付することにより記録媒体リストによりその内容を認識して必要とする記録媒体を選別し、記録媒体リストにより選別された記録媒体を入手すればよいため、不要な記録媒体まで取り出してしまうことがなく、検索作業の効率化を向上させることができる等の特長を有する。
【図面の簡単な説明】
【図１】本発明の原理図である。
【図２】本発明の一実施例のブロック図である。
【図３】二次元バーコードシンボルの構成図である。
【図４】本発明の一実施例の二次元バーコードの内容を示す図である。
【図５】本発明の一実施例の二次元バーコードの内容を示す図である。
【図６】本発明の一実施例の動作説明図である。
【図７】本発明の他の実施例のブロック構成図である。
【図８】本発明の他の実施例の動作説明図である。
【図９】従来の一例の説明図である。
【図１０】従来の他の一例の説明図である。
【符号の説明】
１  多次元バーコード
２  記録媒体
３  多次元バーコード読取手段
４  記録媒体リスト
【図１】
0003540025.tif 000002
【図２】
0003540025.tif 000003
【図３】
0003540025.tif 000004
【図４】
0003540025.tif 000005
【図５】
0003540025.tif 000006
【図６】
0003540025.tif 000007
【図７】
0003540025.tif 000008
【図８】
0003540025.tif 000009
【図９】
0003540025.tif 000010
【図１０】
0003540025.tif 000011